(57)【要約】      （修正有）【課題】  囲い枠の剛性を高めることのできるベビーベッドを提供する。【解決手段】  ベビーベッド１０は、所定の高さに位置する床板２０と、この床板２０の周囲を取り囲む囲い枠３０と、床板２０と囲い枠３０とを固定する固定手段１１とを備える。囲い枠３０は、頭側に位置する頭部枠３１と、足側に位置する足部枠３２と、側面側に位置する側部枠３３とを含む。床板２０は、その頭側端部および足側端部に、頭部枠３１および足部枠３２に沿って下方に張り出した脚部２１を有している。【選択図】      図３
2005342374.tif 000002
【特許請求の範囲】
【請求項１】
所定の高さに位置する床板と、
前記床板の周囲を取り囲む囲い枠と、
前記床板と前記囲い枠とを固定する固定手段とを備え、
前記床板は、その端部に、前記囲い枠に沿って上下方向に張り出した脚部を有している、ベビーベッド。
【請求項２】
前記囲い枠は、頭側に位置する頭部枠と、足側に位置する足部枠と、側面側に位置する側部枠とを含み、
前記床板の脚部は、前記頭部枠および前記足部枠に沿って下方に延びている、請求項１に記載のベビーベッド。
【請求項３】
前記脚部の張出長さは、前記床板の厚みの２倍以上である、請求項１または２に記載のベビーベッド。
【発明の詳細な説明】
【技術分野】
【０００１】
この発明は、ベビーベッドに関し、特に強固な構造を有するベビーベッドに関するものである。
【背景技術】
【０００２】
乳児用のベビーベッドは、例えば、特開平９−９８８５３号公報（特許文献１）に開示されている。この公報に開示されたような典型的なベビーベッド１を図１および図２に示している。
【０００３】
ベビーベッド１は、矩形の床板２と、この床板２の周囲を取り囲む囲い枠３とを備える。図１では、囲い枠３を想像線で示している。囲い枠３は、頭側に位置する頭部枠４と、足側に位置する足部枠５と、側面側に位置する１対の側部枠６とを備える。床板２は、所定の高さの位置でねじ７を介して頭部枠３および足部枠５に支持される。
【０００４】
上記のように、ねじ７を介して床板２を頭部枠４および足部枠５に固定することにより、囲い枠３の全体形状を固定することができる。
【特許文献１】特開平９−９８８５３号公報
【発明の開示】
【発明が解決しようとする課題】
【０００５】
床板２は、全体に亘ってほぼ同一の厚みの平坦な形状をしており、その端面２ａがねじ７を介して頭部枠４および足部枠５に固定されている。頭部枠４および足部枠５に面接触する端面２ａの面積は比較的小さいので、頭部枠４と床板２との間の接続構造、および足部枠５と床板２との間の接続構造があまり強固ではない。そのため、床板２によって形状が維持されるべき囲い枠３にがたつきやぐらつきが見られる。
【０００６】
この発明の目的は、特に囲い枠の剛性を高めることのできるベビーベッドを提供することである。
【課題を解決するための手段】
【０００７】
この発明に従ったベビーベッドは、所定の高さに位置する床板と、この床板の周囲を取り囲む囲い枠と、床板と囲い枠とを固定する固定手段とを備える。床板は、その端部に、囲い枠に沿って上下方向に張り出した脚部を有している。
【０００８】
上記構成の本発明によれば、床板の脚部が大きな面積で囲い枠に接することになるので、床板と囲い枠との接続構造が強固になり、囲い枠の剛性が高まる。
【０００９】
一つの実施形態では、囲い枠は、頭側に位置する頭部枠と、足側に位置する足部枠と、側面側に位置する側部枠とを含む。床板の脚部は、頭部枠および足部枠に沿って下方に延びている。床板の脚部と囲い枠との接触面積を大きくするために、好ましくは、脚部の張出長さを、床板の厚みの２倍以上とする。
【発明を実施するための最良の形態】
【００１０】
図３および図４は、この発明の一実施形態を示し、図５は床板を示している。
【００１１】
ベビーベッド１０は、矩形の床板２０と、この床板２０の周囲を取り囲む囲い枠３０とを備える。囲い枠３０は、床板２０上に寝かされる乳幼児の頭側に位置する頭部枠３１と、足側に位置する足部枠３２と、側面側に位置する１対の側部枠３３とを備える。床板２０は、所定の高さの位置でねじ１１のような固定手段を介して頭部枠３１および足部枠３２に固定支持される。図示するように、床板２０は、頭側端部および足側端部に、頭部枠３１および足部枠３２に沿って下方に張り出した脚部２１を有している。
【００１２】
図５は、床板２０の詳細な構造および各部の寸法を示している。床板２０の平坦部分は、薄板２２と、この薄板２２の裏面に配置された複数の補強棒２３とからなる。床板２０の厚みとは、薄板２２の厚み寸法（図示した実施形態では、５ｍｍ）と、補強棒２３の厚み寸法（図示した実施形態では４０ｍｍ）との合計である。脚部２１は、４５ｍｍの厚みを有する床板２０の頭側端部および足側端部から下方に張り出して延びている。図示した実施形態では、脚部２１の下方への張出長さは１３１ｍｍであり、床板２０の厚みの約２．９倍である。この脚部２１は、床板２０の幅方向全長に亘って形成されている。
【００１３】
上記の実施形態のように、床板２０の端部全幅において下方に長く張り出す脚部２１を設ければ、ねじ１１を介して床板２０と頭部枠３１および足部枠３２とを固定接続したとき、この脚部２１が上下方向および幅方向に亘って広い面積で頭部枠３１および足部枠３２に接することになるので、それらの接続固定構造が強固になり、囲い枠３０の剛性が高まる。このような効果を十分に発揮するために、好ましくは、脚部２１の張出長さを、床板２０の厚みの２倍以上とする。
【００１４】
図示した実施形態では、床板２０は、頭側端部および足側端部に脚部２１を有していたが、他の実施形態として、１対の側部枠に固定接続されるように幅方向の両側端部に脚部を有するようにしてもよい。また、図示した実施形態では、脚部２１は、囲い枠３０に沿って下方に張り出すものであったが、他の実施形態として、上方に張り出したり、あるいは上方および下方に張り出すような脚部であってもよい。
【００１５】
また、図示した実施形態では、床板の脚部は、床板の幅方向全長に亘って形成されていたが、他の実施形態として、床板の幅方向全長に延びていない脚部とすることもできる。例えば、床板の幅方向に沿って複数の脚部を間隔をあけて設けるようにしてもよい。
【００１６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００１７】
この発明は、強固な構造を有するベビーベッドとして有利に適用され得る。
【図面の簡単な説明】
【００１８】
【図１】従来のベビーベッドを図解的に示す斜視図である。
【図２】従来のベビーベッドにおける床板と囲い枠との接続構造を示す断面図である。
【図３】本発明の一実施形態に係るベビーベッドを図解的に示す斜視図である。
【図４】本発明の一実施形態における床板と囲い枠との接続構造を示す断面図である。
【図５】本発明の一実施形態において使用される床板を示す図であり、（ａ）は平面図、（ｂ）は足側からみた側面図、（ｃ）は側面側から見た部分縦断面図である。
【符号の説明】
【００１９】
１  ベビーベッド、２  床板、３  囲い枠、４  頭部枠、５  足部枠、６  側部枠、７  ねじ、１０  ベビーベッド、１１  ねじ、２０  床板、２１  脚部、２２  薄板、２３  補強棒、３０  囲い枠、３１  頭部枠、３２  足部枠、３３  側部枠。
【図１】
2005342374.tif 000003
【図２】
2005342374.tif 000004
【図３】
2005342374.tif 000005
【図４】
2005342374.tif 000006
【図５】
2005342374.tif 000007